(57)【特許請求の範囲】
【請求項１】
マウント機構により機構的かつ電気的にカメラ本体に装着可能なカメラアクセサリであって、
使用者へ機能の対応状況を通知するため通知光を発する発光部と、
前記発光部を発光制御する発光制御部と、
前記発光部が実装され前記発光部と前記発光制御部とを電気的に接続するプリント基板と、
前記発光部が実装された前記プリント基板の上方向を覆うように形成されたカバー部材と
を備え、
前記カバー部材は、前記発光部が前記プリント基板に実装される面に対する上方向における頂上部のみに光学的な開口部が形成され、底部が前記発光部の周囲において前記プリント基板の面と密着するように構成されており、
前記プリント基板は前記カバー部材の底部と可撓性の押え部材により挟持されており、
前記プリント基板の穴が前記カバー部材の底部に形成された掛部に掛り、
前記カバー部材の底部に形成されたツメ部が前記押え部材を押さえることにより前記プリント基板が前記カバー部材の底部に密着するように構成されていることを特徴とするカメラアクセサリ。
【請求項２】
前記カバー部材は、カメラアクセサリの外観部材に形成された貫通穴の軸と前記カバー部材の前記開口部の軸とが一致するように配置されていることを特徴とする請求項１に記載のカメラアクセサリ。
【請求項３】
前記発光部からの通知光を外部へ透過するための拡散軸が前記カバー部材の開口部を水密に塞ぐように構成されていることを特徴とする請求項１又は請求項２のいずれかに記載のカメラアクセサリ。
【発明の詳細な説明】
【技術分野】
【０００１】
本発明は、マウントなどを介してカメラ本体に脱着可能なカメラアクセサリの技術に関するものである。カメラアクセサリとは、特に、交換レンズ、交換レンズとカメラ本体との間に介装されるレンズ光学系を有しない中間アダプタもしくはレンズ光学系を有する中間アダプタなどを指す。
【背景技術】
【０００２】
従来、マウントなどを介してカメラ本体に脱着可能なカメラアクセサリにおいて、被写体光をカメラ本体の撮像面へ結像するための撮影レンズに対応する固有情報をカメラ本体と通信可能なカメラアクセサリの技術が開示されている。
【０００３】
カメラ本体とカメラアクセサリとの間で通信される固有情報には、予め任意に設定された撮影レンズの識別データ（機種別ＩＤ、シリアル番号など）や撮影レンズの焦点距離や絞り値などの光学データや撮影レンズを駆動制御するための駆動データなどの他に撮影レンズの光学特性に関するデータが含まれる。
【０００４】
特許文献１（特開２００２−３４１４２４号公報）には、カメラ本体と交換レンズとの間に中間アクセサリが介装されたカメラシステムにおいて、固有情報が交換レンズからカメラ本体へ通信される際に、カメラ本体と交換レンズの双方が新機能のタイプである場合には中間アクセサリの固有情報を補正処理するための制御方法を切り替える技術が開示されている。
【０００５】
一方で、交換レンズや中間アクセサリなどのカメラアクセサリはカメラ本体に対してマウント機構を介して脱着可能とされているのが一般的である。使用者はカメラ本体のマウント機構の仕様に合致するカメラアクセサリを選択して、撮影シーンに合わせてこれらのカメラアクセサリをカメラ本体に装着する。
【０００６】
この場合、使用者はマウント機構の仕様が合致するカメラ本体とカメラアクセサリとが装着可能であることをもって、カメラ本体とカメラアクセサリとからなるカメラシステム全体がその機能を完全に発揮することが可能であると誤認するおそれがある。
【０００７】
特許文献１にも開示されているように、カメラ本体やカメラアクセサリ、またはこれらからなるカメラシステムは高機能化が進んでおり、これら全てが新機能に対応していない場合には最新の機能を完全に発揮することができない場合がある。
【０００８】
ところが、使用者はまず機構的にカメラ本体に対して装着可能なカメラアクセサリを選択するため、詳細な機能の対応状況を誤認するおそれがある。また、カメラ本体とカメラアクセサリとには多くの組み合わせが想定され、これらのファームウェアが後に変更されることもあり、使用者がカメラ本体とカメラアクセサリとの組み合わせによって詳細な機能の対応状況が変化するということを認識していたとしてもその対応状況の詳細な内容をすぐに理解することは容易ではない。
【０００９】
さらに、カメラ本体に対してはマウント機構の仕様が合致していれば他社製カメラアクセサリも装着可能になるが、カメラ本体のメーカーはカメラ本体と他社製カメラアクセサリとの組み合わせにおける詳細な機能の対応状況を把握しておらず、使用者もこれを容易に把握できない場合がある。
【００１０】
そこで、カメラ本体、カメラアクセサリ及びカメラシステムの使用者が詳細な機能の対応状況を容易に認識可能とするための通知機能が求められる。
【００１１】
カメラアクセサリに通知機能を実装するため、既存の様々なデバイスを利用することが考えられる。より確実な通知を可能とするための具体例の一つとして液晶デバイスによる文字表示が考えられるが、詳細な機能の対応状況を通知するためだけに液晶デバイスをカメラアクセサリに搭載することは高コストであるし、カメラアクセサリは撮影レンズのレンズ光学系の形状に合わせて筒状形態であるため表面の曲面に液晶デバイスを配置することは困難である。
【００１２】
そこで、ＬＥＤなどの発光デバイスを利用して通知機能を実装することがより効率的である。例えば、ＬＥＤにおいては、ＩＣを内蔵しているタイプでは光の３原色のバランスにより様々な発光色を発光することが可能であり、これにより複数の対応状況を視覚的に使用者に通知することができ、さらに小型であるためカメラアクセサリに搭載する際の利便性が高い。
【先行技術文献】
【特許文献】
【００１３】
【特許文献１】特開２０１２−２２０６５４号公報
【発明の概要】
【発明が解決しようとする課題】
【００１４】
しかしながら、カメラアクセサリにＬＥＤなどの発光デバイスを搭載する際には以下の課題がある。
【００１５】
まず、カメラアクセサリに対して新たに発光デバイスを搭載するための十分なスペースを確保することが困難であるという課題がある。
【００１６】
そもそもカメラアクセサリは手動の操作環や切り替えスイッチなどの多くのユーザーインターフェースが配設されており、なおかつ携帯性が重要な機能の一つとされているため、新たに発光デバイスを搭載するにはスペースにおいて大きな制約がある。
【００１７】
また、カメラアクセサリは曲面である部分がほとんどであり、発光デバイスの設置の自由度は高くはない。
【００１８】
さらに、発光デバイスからの光をカメラアクセサリの内部から外部へ通すための貫通穴から、逆にカメラアクセサリの内部へ環境光が侵入してしまわないように発光デバイスを搭載する必要がある。
【００１９】
カメラアクセサリの内部へ外光が侵入してしまうと、撮影レンズによる光路中に有害な外光が侵入することとなり、撮影画像やライブビューにおいてゴーストやフレアの問題が発生してしまうおそれがある。
【００２０】
発光デバイスを撮影レンズによる光路と壁を隔てて搭載する構成とすれば、カメラアクセサリ内部への外光侵入の問題は発生しないが、カメラアクセサリにおいては携帯性を維持するためなどによる径の制約条件があるため、容易にこのような構成とすることはできない。
【００２１】
本発明の目的は、使用者に詳細な機能の対応状況を通知するための通知機能を発光デバイスを搭載することにより実装し、なおかつ、携帯性を維持し、発光デバイスの光を内部から外部へ通すための貫通穴から外光が撮影レンズの光路中に侵入しないように構成されたカメラアクセサリを提供することにある。
【課題を解決するための手段】
【００２２】
上記の課題を解決するために、本発明に係るカメラアクセサリは、マウント機構により機構的かつ電気的にカメラ本体に装着可能なカメラアクセサリであって、使用者へ機能の対応状況を通知するため通知光を発する発光部と、前記発光部を発光制御する発光制御部と、前記発光部が実装され前記発光部と前記発光制御部とを電気的に接続するプリント基板と、前記発光部が実装された前記プリント基板の上方向を覆うように形成されたカバー部材とを備え、前記カバー部材は、前記発光部が前記プリント基板に実装される面に対する上方向における頂上部のみに光学的な開口部が形成され、底部が前記発光部の周囲において前記プリント基板の面と密着するように構成されており、前記プリント基板は前記カバー部材の底部と可撓性の押え部材により挟持されており、前記プリント基板の穴が前記カバー部材の底部に形成された掛部に掛り、前記カバー部材の底部に形成されたツメ部が前記押え部材を押さえることにより前記プリント基板が前記カバー部材の底部に密着するように構成されていることを特徴とする。
【発明の効果】
【００２３】
本発明によれば、使用者に詳細な機能の対応状況を通知する通知機能を発光デバイスの搭載により実装し、携帯性を損なわず、外光が撮影レンズの光路中に侵入しないカメラアクセサリの実現が可能となる。
【図面の簡単な説明】
【００２４】
【図１】カメラシステムの構成を示すブロック図
【図２】カメラアクセサリの発光制御を説明するフロー図
【図３】マウント変換アダプタの斜視図
【図４】マウント変換アダプタの断面線を示す平面図
【図５】マウント変換アダプタの拡大断面図
【図６】ランプカバーの単体を示す斜視図
【図７】ランプカバーの単体を示す断面図
【図８】マウント変換アダプタの内部機構側から見た斜視図
【発明を実施するための形態】
【００２５】
以下に本発明のカメラアクセサリの一実施例として、カメラシステムにおいてカメラ本体と交換レンズとの間に介装される中間アクセサリであるマウント変換アダプタについて詳細に説明する。なお、以下の実施例の説明は本発明のカメラアクセサリの一例を説明したものであり、本発明のカメラアクセサリはマウントなどを介してカメラ本体に脱着可能なものを対象としたものであってマウント変換アダプタに限定されるものではない。
【００２６】
本実施例のカメラ本体、交換レンズ及びマウント変換アダプタからなるカメラシステムの構成について説明する。
【００２７】
図１は、本実施例のカメラシステムの構成を示すブロック図である。図１において、１０はカメラ本体、２０は交換レンズ、３０はマウント変換アダプタを示す。カメラ本体１０、交換レンズ２０及びマウント変換アダプタ３０は一体となってカメラシステムを構成している。
【００２８】
カメラ本体１０とマウント変換アダプタ３０との間及び交換レンズとマウント変換アダプタ３０との間ではそれぞれ仕様が合致するマウント機構により機構的に接続している。マウント変換アダプタの目的の機能により、上記２つの間のマウント機構の仕様が共通する場合も異なる場合もある。カメラ本体１０とマウント変換アダプタ３０との間のように２つの部分の間においてマウント機構の仕様が合致していれば双方は装着可能であり、マウント変換アダプタ３０においてカメラ本体１０側と交換レンズ２０側とでマウント機構の仕様が異なる場合もカメラシステムが構成できるのであれば機構的に問題はない。
【００２９】
図１に示すカメラ本体１０において、１０１はカメラＣＰＵ、１０２は撮像部、１０３は画像処理部、１０４は電源部、１０５はカメラマウント部を示す。
【００３０】
カメラＣＰＵ１０１は、画像データの取得のための制御やカメラ本体１０内の各デバイスの制御を行うとともに、カメラ本体１０に装着された交換レンズ２０やマウント変換アダプタ３０との通信制御や駆動制御を行う。
【００３１】
撮像部１０２には、撮影レンズにより結像した被写体光を光電変換して画像データを取得するためのイメージセンサーや取得した画像データをデジタル化するＡ−Ｄコンバータなどが含まれ、デジタル化された画像データを取得する役割を担っている。
【００３２】
画像処理部１０３は、撮像部１０２で取得した画像データの階調処理やノイズ除去処理や光学収差補正処理などを行う。
【００３３】
電源部１０４は、カメラ本体１０内の各デバイスへの電源供給を行い、さらにカメラマウント部１０５を介して装着された交換レンズ２０及びマウント変換アダプタ３０の各デバイスへ電源供給を行う。
【００３４】
カメラマウント部１０５は、マウント変換アダプタ３０と仕様が合致するマウント機構を有しており、マウント変換アダプタ３０を機構的にカメラ本体１０へ装着可能とするとともに、マウント機構に備えられた電気的接点によりマウント変換アダプタ３０と通信可能となっている。
【００３５】
図１に示す交換レンズ２０において、２０１はレンズＣＰＵ、２０２はレンズ光学系、２０３はレンズＲＯＭ、２０４はレンズマウント部を示す。
【００３６】
レンズＣＰＵ２０１は、交換レンズ２０内の各デバイスの制御を行うとともに、交換レンズ２０に装着されたカメラ本体１０やマウント変換アダプタ３０との通信制御や駆動制御を行う。
【００３７】
レンズＲＯＭ２０３には、交換レンズ２０が有するレンズ光学系２０２に固有のレンズデータが格納されている。レンズデータには、機種ＩＤやシリアル番号などの識別データや、レンズ光学系２０２の焦点距離や絞り値などの光学データや交換レンズを駆動するための駆動データなどに加えて、レンズ光学系２０２の収差を画像処理において補正するための光学補正データなどが含まれている。
【００３８】
レンズマウント部２０４は、マウント変換アダプタ３０と仕様が合致するマウント機構を有しており、交換レンズ２０を機構的にマウント変換アダプタ３０へ装着可能とするとともに、マウント機構に備えられた電気的接点によりマウント変換アダプタ３０と通信可能となっている。
【００３９】
図１に示すマウント変換アダプタ３０において、３０１はアダプタＣＰＵ、３０２はアダプタＲＯＭ、３０３は発光部、３０４はアダプタカメラ側マウント部、３０５はアダプタレンズ側マウント部を示す。
【００４０】
本実施例のマウント変換アダプタ３０は、マウント機構の仕様が相違するカメラ本体１０と交換レンズ２０とをそれぞれ装着可能としてこれらを中継するカメラアクセサリである。マウント変換アダプタ３０の役割として、特に、カメラ本体１０と交換レンズ２０のマウント機構の仕様が相違するしないにかかわらず、交換レンズ２０をカメラ本体１０に対して機構的に装着可能とすること、カメラ本体１０と交換レンズ２０との通信の互換性をサポートすること、交換レンズ２０のフランジバックを装着されるカメラ本体１０の仕様に合わせて調整することが挙げられる。
【００４１】
アダプタＣＰＵ３０１は、カメラＣＰＵ１０１とレンズＣＰＵ２０１との通信の互換性を確保するため、カメラＣＰＵ１０１と交換レンズ２０との間で通信されるコマンドやデータの置換や変換等をともなう処理を行う。また、カメラＣＰＵ１０１とレンズＣＰＵ２０１との間で通信されたデータを元にマウント変換アダプタ３０の機能の対応状況を使用者に通知するための発光部３０３を適切に制御する。
【００４２】
アダプタＲＯＭ３０２には、交換レンズ２０のレンズＲＯＭ２０３に格納されたレンズ光学系２０２に固有のレンズデータと同様のものが格納されている。アダプタＲＯＭ３０２に格納されているレンズデータは、レンズＩＤを含み、さらにレンズＲＯＭ２０３に格納されている同様のレンズデータよりもより高度な機能に対応可能なレンズデータである。すなわち、アダプタＣＰＵ３０２に格納されているレンズデータには、レンズＲＯＭ２０３に格納されているレンズデータに追加して、例えばより高度な光学収差補正データやカメラ本体１０の撮像部１０２の新しい機能である像面位相差ＡＦに対応可能な光学収差補正データが拡張されている。
【００４３】
ここで、マウント変換アダプタ３０はマウント機構の仕様が合致する様々な交換レンズを装着可能であり、装着された交換レンズによりレンズ光学系が変更されることとなるため、アダプタＲＯＭ３０２には、装着される可能性のある交換レンズのレンズ光学系を想定した場合の単数又は複数のレンズデータを格納することが可能となっている。
【００４４】
アダプタＲＯＭ３０２に格納されるレンズデータは状況に応じて後で変更可能とすることが好ましい。この具体的な状況としては、アダプタＲＯＭ３０２の記憶容量を確保したい場合に使用しないレンズデータを削除したり、新規に開発された交換レンズのレンズ光学系に対応するレンズデータを追加したりする状況が想定される。アダプタＲＯＭ３０２に格納されたレンズデータの変更方法としては、外部コンピュータやカメラ本体等による、マウント部の電気的接点を利用した変更や、レンズデータの変更のための専用のコネクタを利用した変更が可能である。
【００４５】
アダプタＲＯＭ３０２において、複数の拡張されたレンズデータを格納可能とすることで、マウント変換アダプタ３０に装着可能な交換レンズ２０をより高度な光学収差補正やカメラ本体１０の新しい機能に対応可能とし、それぞれの交換レンズ２０のレンズＲＯＭ２０３に格納されたレンズデータをそれぞれ個別に更新することなくマウント変換アダプタ３０のアダプタＲＯＭ３０２のレンズデータを更新するだけで複数の交換レンズ２０を一括して新しい機能に対応可能とすることができる。
【００４６】
発光部３０３は、マウント変換アダプタ３０の機能の対応状況を使用者に通知するための発光デバイスである。本実施例では発光部３０３の発光デバイスを具体的にＬＥＤであるとする。ＬＥＤは、光の３原色を発光するＬＥＤとこれらの発光を制御するＩＣがパッケージングされており、省スペースで様々な色の発光を行うことが可能である。本実施例では、ＬＥＤによる複数の発光の状態を用いて使用者にマウント変換アダプタ３０の機能の対応状況を通知するものとした。
【００４７】
次に図２を用いて、アダプタＣＰＵ３０１による発光部３０３の発光制御について説明する。
【００４８】
本実施例のカメラシステムにおいて、カメラ本体１０の電源がオンとなると、カメラ本体の電源部１０４から、カメラ本体１０のカメラＣＰＵ１０１、交換レンズ２０のレンズＣＰＵ２０１及びマウント変換アダプタ３０のアダプタＣＰＵ３０１に対してそれぞれのＣＰＵに適切な電圧の電源の供給が開始される。これらのＣＰＵは電源の供給を受けて起動を行い、次の初期通信を行う。
【００４９】
まず、ステップ１において、アダプタＣＰＵ３０１は、カメラＣＰＵ１０１に対して通信待機の指示を行う。アダプタＣＰＵ３０１が初期通信において交換レンズ２０の種類を判別して発光部３０３の発光制御を完了するまで、アダプタＣＰＵ３０１とカメラＣＰＵ１０１との通信を待機するためである。
【００５０】
次に、ステップ２において、アダプタＣＰＵ３０１は、レンズＣＰＵ２０１に対して、装着された交換レンズ２０のレンズ光学系２０２についてのレンズデータをマウント変換アダプタ３０のアダプタＲＯＭ３０２に格納可能であるか否かを問い合わせるコマンド（対応コマンド）と、交換レンズ２０のレンズＲＯＭ２０３に格納されたレンズＩＤを問い合わせるコマンド（レンズＩＤコマンド）を発行する。
【００５１】
対応コマンドは、アダプタＲＯＭ３０２において、マウント変換アダプタ３０に装着された交換レンズ２０のレンズ光学系２０２についてのレンズデータを格納可能であるか否かをレンズＣＰＵ２０１に対して問い合わせるためのコマンドである。対応コマンドの発行をする際、実際にアダプタＲＯＭ３０２において交換レンズ２０のレンズ光学系２０２についてのレンズデータが格納されているか否かは問わない。
【００５２】
アダプタＲＯＭ３０２に格納されるレンズデータは、レンズ光学系２０２のレンズ設計データに基づいて作成されるものであり、所定のフォーマットに従って記述されていなければならず、単にマウント機構の仕様が合致していることにより機構的に装着が可能となっている交換レンズであっても、当該交換レンズのレンズデータを必ずしも格納可能であるとは限らない。例えば、交換レンズ２０が機構的にマウント変換アダプタ３０に対して装着可能である場合であっても、マウント変換アダプタ３０のメーカーがレンズ設計データに基づいてレンズデータの作成をすることができないようなレンズ光学系を備えた他社製の交換レンズであるなどの場合には、マウント変換アダプタ３０のアダプタＲＯＭ３０２にこれらの交換レンズのレンズデータを格納することが根本的に不可能である。
【００５３】
次に、ステップ３において、レンズＣＰＵ２０１は、アダプタＣＰＵ３０１からの対応コマンドとレンズＩＤコマンドに応答して、アダプタＣＰＵ３０１に対して、マウント変換アダプタ３０に対する対応状況とレンズＲＯＭ２０３に格納されたレンズＩＤのアンサーを送信する。
【００５４】
次に、ステップ４において、アダプタＣＰＵ３０１は、レンズＣＰＵ２０１から送信されたマウント変換アダプタ３０に対する対応状況とレンズＩＤを受信し、これらに基づいて発光部３０３の発光制御を行う。すなわち、マウント変換アダプタ３０に対する対応状況がＯＫの場合には発光部３０３を点灯させる発光制御を行い、ＮＧの場合には発光部３０３を点灯させない発光制御を行う。さらに、発光部３０３を点灯させる発光制御において、レンズＩＤに従って発光色を切り替える発光制御を行う。
【００５５】
本実施例では、マウント変換アダプタ３０に対する対応状況がＯＫの場合には発光部３０３を点灯させる発光制御を行い、かつ、レンズＩＤに従って発光色を切り替える発光制御を行う。すなわち、アダプタＣＰＵ３０１は、発光部３０３を点灯させる発光制御を行う際に、レンズＣＰＵ２０１から受信したレンズＩＤをキーにして単数又は複数のレンズデータが格納されたアダプタＲＯＭ３０２を参照し、レンズＣＰＵ２０１から受信したレンズＩＤと同じレンズＩＤが存在するか否かをサーチして、存在する場合には発光部３０３を緑色に発光させ、存在しない場合には発光部３０３を橙色に発光させる。
【００５６】
上記のようにマウント変換アダプタ３０の発光部３０３の色を切り替えて発光させることにより、使用者に対して、装着された交換レンズ２０のレンズ光学系２０２に対応するレンズデータがアダプタＲＯＭ３０２に格納されていないことと、さらに、マウント変換アダプタ３０がレンズデータの格納に対応していることを併せて通知し、アダプタＲＯＭ３０２にレンズデータを格納することを視覚的に促すことができる。
【００５７】
次に、ステップ５において、アダプタＣＰＵ３０１は、所定の時間が経過した後に発光部３０３の発光制御を終了し、ステップ１において行っていたカメラＣＰＵ１０１に対する通信待機の指示を解除してカメラＣＰＵ１０１との通信を開始する。以上により、アダプタＣＰＵ３０１による発光部３０３の発光制御が完了する。
【００５８】
次に図３及び図４を用いて、本実施例のマウント変換アダプタ３０の構成について説明する。
【００５９】
図３は、マウント変換アダプタ３０の外観を示した図である。３０６は外観部材、３０６ａは外観部材３０６に形成された貫通穴、３０４はアダプタカメラ側マウント部、３０５はアダプタレンズ側マウント部を示す。
【００６０】
貫通穴３０６ａは、マウント変換アダプタ３０の内部機構に配置された発光部３０３から外部へ向かって、使用者へ通知するための光が通るように外観部材３０６に形成された開口部である。
【００６１】
アダプタカメラ側マウント部３０４及びアダプタレンズ側マウント部３０５は、それぞれカメラ本体１０のマウント部１００及び交換レンズ２０のマウント部１００とマウント機構により機構的かつ電気的に接続するための機構である。
【００６２】
なお、図３において点線はマウント変換アダプタ３０の光軸を示している。マウント変換アダプタ３０の光軸は、カメラ本体１０の光軸と一致し、かつ、交換レンズ２０の光軸とも一致する。カメラ本体１０の光軸は詳しくはカメラ本体１０の撮像部１０２を構成するイメージセンサーの中心を垂直に通る軸であり、交換レンズ２０の光軸は詳しくは交換レンズ２０のレンズ光学系２０２の光軸である。
【００６３】
図５は、図４のマウント変換アダプタ３０の平面図において、マウント変換アダプタ３０の光軸と貫通穴３０６ａとを通る断面線Ａ−Ａ’を含み光軸に平行な平面での断面図である。図５の断面図では、さらに発光部３０３の周辺を拡大して示している。
【００６４】
図５の断面図において、３０３はＬＥＤからなる発光部、３０６は外観部材、３０６ａは外観部材３０６に形成された貫通穴、３０７は貫通穴を水密にするように配置された拡散軸、３０８はＦＰＣ（フレキシブルプリント基板）、３１０はフレキ押え、３１１はランプカバーを示している。
【００６５】
貫通穴３０６ａは外観部材３０６に形成されており、マウント変換アダプタ３０の内部機構に配置された発光部３０３からの光を外部へ通すための外観部材３０６の開口部である。貫通穴３０６ａにはこのような役割がある一方で、外部の環境光をマウント変換アダプタ３０の内部機構へ通してしまうという弊害を生じさせてしまうという問題もある。マウント変換アダプタのような被写体光をカメラ本体のイメージセンサーに導くカメラアクセサリにおいては、外部から被写体光でない有害な光が侵入してしまうと撮影される画像データにゴーストやフレアを生じさせてしまうこととなり綺麗な写真を撮ることができない。
【００６６】
また、拡散軸３０７は貫通穴３０６ａを水密に塞ぐように配置されている。拡散軸３０７は発光部３０３からの光を視覚的に効率よく外部へ拡散させるという役割とともにマウント変換アダプタ３０の防塵防滴性能を維持するという役割もある。貫通穴３０６ａにおいては、外部からの環境光が内部機構へ侵入してしまう問題と同様に、外部から塵埃や水滴が内部機構へ侵入してしまうという問題も生ずるおそれがある。そこで、本実施例では拡散軸３０７を利用して貫通穴３０６ａを水密に塞ぐ構成とした。拡散軸３０７は、外観部材３０６や後述するランプカバー３１１と一体に形成することとしてもよい。
【００６７】
ＦＰＣ３０８は、メイン基板にコネクタ等で接続されることでアダプタＣＰＵに電気的に接続されている。ＦＰＣ３０８には、発光部３０３が実装されており、発光部３０３はＦＰＣ３０８を通してアダプタＣＰＵにより発光制御される。
【００６８】
ランプカバー３１１は、外観部材３０６の内部に接着されており、また、発光部３０３に覆いかぶさるように形成されている。
【００６９】
図６は、ランプカバー３１１の単体を示す上側面と下側面の斜視図である。図６において、３１１ａは頂上開口部、３１１ｂはかぶせ部、３１１ｃは底部、３１１ｄはフレキ掛部、３１１ｅはツメ部を示す。また、図７は、ランプカバー３１１の単体の頂上開口部３１１ａを通る断面線Ｂ−Ｂ’を含む平面での断面図である。
【００７０】
図６に示すランプカバー３１１の各部について説明する。かぶせ部３１１ｂは発光部３０３に覆いかぶさるように形成されており、ＦＰＣ３０８において発光部３０３が実装された平面に対して上部と側部から光が漏れないように形成されている。ただし、かぶせ部３１１ｂの上部には頂上開口部３１１ａが形成されており、発光部３０３からの光が頂上開口部３１１ａからのみ外部へ通るように形成されている。これと同様に、外観部材３０６の貫通穴３０６ａから外部の環境光が侵入してきたとしても、外部からの環境光はマウント変換アダプタ３０の内部機構に対してランプカバー３１１の頂上開口部３１１ａからのみからしか侵入できないように抑えている。
【００７１】
ランプカバー３１１のかぶせ部３１１ｂの上部に形成される開口部は、発光部３０３の光を外部へ通す光学的な開口部であることとし、本実施例の頂上開口部３１１ａのようにランプカバー３１１のかぶせ部３１１ｂを完全に貫通するように形成されている形態であっても、例えばかぶせ部３１１を２色成形によるプラスチック部材で構成して光の通る開口部のみを透明材料で形成する形態であるとしてもよい。
【００７２】
底部３１１ｃは、発光部３０３が実装されたＦＰＣ３０８やフレキ押え３１０により完全に塞がれるように周囲が平面状に形成されている。フレキ掛部３１１ｄはボス形状となっており、ＦＰＣ３０８の穴を引っ掛けるために形成されている。ツメ部３１１ｅはフレキ押え３１０をランプカバー３１１の底部３１１ｃに対して密着するように押さえるために形成されている。
【００７３】
図８は、発光部３０３が実装されたＦＰＣ３０８が、フレキ押え３１０によってランプカバー３１１の底部３１１ｃに対して密着するように押さえられる様子を示すマウント変換アダプタ３０の内部機構側から見た斜視図である。
【００７４】
図８に示すように、ランプカバー３１１の底部３１１ｃと可撓性のあるフレキ押え３１０により、かぶせ部３１１ｂが発光部３０３に覆いかぶさるように発光部３０３が実装されたＦＰＣ３０８を挟み、さらにツメ部３１１ｅによりフレキ押え３１０の一部を押えてフレキ掛部３１１ｄによりフレキ押え３１０の一部を引っ掛けることで、ビス等の固定部材を用いることなくＦＰＣ３０８をランプカバー３１１に対して固定することができる。
【００７５】
また、フレキ押え３１０によりランプカバー３１１の底部３１１ｃを完全に覆うことで、ＦＰＣ３０８に実装された発光部３０３からの光はランプカバー３１１の頂上開口部３１１ａからのみ外部に通ることとなり、かつ、外部からの環境光は、外観部材３０６の貫通穴３０６ａからマウント変換アダプタ３０の内部機構へ侵入してきたとしても、ランプカバー３１１の頂上開口部３１１ａのみからしか侵入せず、フレキ押え３１０によってランプカバー３１１より先のマウント変換アダプタ３０の内部機構へ侵入することはない。
【００７６】
以上の説明のとおり、本発明によれば、ＬＥＤなどの発光デバイスをカメラアクセサリに搭載して使用者に詳細な機能の対応状況を通知するための通知機能を実装したカメラアクセサリを提供することができ、その際に、発光デバイスからの光を外部へ通すためにカメラアクセサリの外観部材に形成した貫通穴を通して、外部からの環境光がカメラアクセサリの内部機構へ侵入することを防止し、撮影される画像データへ悪影響が生ずることを防止したカメラアクセサリとすることができる。
【符号の説明】
【００７７】
１０  カメラ本体
１０１  カメラＣＰＵ
１０２  撮像部
１０３  画像処理部
１０４  電源部
１０５  カメラマウント部
２０  交換レンズ
２０１  レンズＣＰＵ
２０２  レンズ光学系
２０３  レンズＲＯＭ
２０４  レンズマウント部
３０  マウント変換アダプタ
３０１  アダプタＣＰＵ
３０２  アダプタＲＯＭ
３０３  発光部
３０４  アダプタカメラ側マウント部
３０５  アダプタレンズ側マウント部
３０６  外観部材
３０６ａ  貫通穴
３０７  拡散軸
３０８  ＦＰＣ（フレキシブルプリント基板）
３０９  発光部
３１０  フレキ押え
３１１  ランプカバー
３１１ａ  頂上開口部
３１１ｂ  かぶせ部
３１１ｃ  底部
３１１ｄ  フレキ掛部
３１１ｅ  ツメ部
【図１】
0006575389.tif 000002
【図２】
0006575389.tif 000003
【図３】
0006575389.tif 000004
【図４】
0006575389.tif 000005
【図５】
0006575389.tif 000006
【図６】
0006575389.tif 000007
【図７】
0006575389.tif 000008
【図８】
0006575389.tif 000009